(57)【要約】【課題】電池使用においてもＬＣＤの見栄えを良好に保ったまま省電力を図る。【解決手段】ＡＣアダプタ１１がＤＣジャック１０に挿入されていない場合、電圧検出回路３１から入力された測定電圧Ａ（ｖ）がＡＣアダプタ１１の電源電圧よりも低いから、電源が二次電池９であると判別されるとともに、測定電圧Ａ（ｖ）≧閾値電圧α（ｖ）であるか否かを判別される。Ａ≧αの時には、二次電池９がフル充電された直後で十分な電気容量を有するから、ＡＣアダプタ１１の接続時と同じ通常モードでの初期設定を行ない、Ａ＜αの時には、省電力モードによる初期設定を行なう。省電力モードでは、バックライト１２ｂの輝度を通常レベルよりも低く設定すると同時に、液晶パネル１２ａのゲインを通常レベルよりも高く設定するから、ＬＣＤ１２に表示されるスルー画及び再生画像の見栄えを良好に保ったままデジタルカメラ１の省電力化に寄与することができる。【選択図】図３
2008287175.tif 000002
【特許請求の範囲】
【請求項１】
電源として電池及びＡＣアダプタが使用可能であるとともに、画像を再生して表示する液晶パネルとこれを背後から照明するバックライトとからなる液晶ディスプレイを備えた再生表示装置において、
電源が電池又はＡＣアダプタのいずれであるかを判別する電源種類判別部と、
この電源種類判別部により電源が電池であると判別された場合、電源がＡＣアダプタの場合よりも、前記バックライトの輝度を下げると同時に前記液晶パネルのゲインを上げる制御部と
を備えたことを特徴とする再生表示装置。
【請求項２】
前記電池は、一次電池または電圧が所定の閾値よりも低い二次電池であることを特徴とする請求項１記載の再生表示装置。
【請求項３】
電源として電池及びＡＣアダプタが使用可能とし、液晶パネルとこれを背後から照明するバックライトとからなる液晶ディスプレイに画像を再生して表示する再生表示方法において、
電源が電池又はＡＣアダプタのいずれであるかを判別する電源種類判別ステップと、
電源が電池であると判別された場合、電源がＡＣアダプタの場合よりも、前記バックライトの輝度を下げると同時に前記液晶パネルのゲインを上げる制御ステップと
からなることを特徴とする再生表示方法。
【請求項４】
前記電池は、一次電池または電圧が所定の閾値よりも低い二次電池であることを特徴とする請求項３記載の再生表示方法。
【発明の詳細な説明】
【技術分野】
【０００１】
本発明は、再生表示装置及び方法に関し、更に詳しくは、複数種類の電源を使用可能な再生表示装置及び方法に関する。
【背景技術】
【０００２】
画像（文字も含む）を再生して液晶パネルとバックライトとからなる液晶ディスプレイに表示する携帯可能な再生表示装置、例えばデジタルカメラやノートブックコンピュータやゲーム機等が広く普及している。このような再生表示装置は、駆動用の電源として、一般に、単三乾電池等の一次電池か、繰り返し充電可能なリチウムイオン電池等の二次電池のいずれかが用いられるとともに、ＡＣアダプタを接続して商用交流電源から電源を受給可能としたものも多い。以下、一次電池と二次電池とを区別する必要がない場合には、単に「電池」という。
【０００３】
再生表示装置は、電池で駆動する場合、電気容量が有限であるから、省電力モードに切り換えるなどの駆動制御を行なう（例えば特許文献１〜５）。特許文献１記載のカメラ一体型ＶＴＲは、電源供給系判定部がバッテリを検出すると、表示系切り替え部を省電力モードとする。電源供給系判定部がＡＣアダプタを検出すると、通常モードとする。省電力モードでは、ファインダ部あるいは液晶パネル部のいずれか一方だけをＯＮ状態にし、通常モードでは、ファインダ部をＯＮ状態にし、液晶パネル部のＯＮ／ＯＦＦ状態を状況に応じて切り替える。
【０００４】
特許文献２記載の撮像システムは、二次電池パックまたは充電装置が用いられる。電源として二次電池パックが装着されると、これを電源検出手段が検出し、表示部のバックライト部の明るさを低減するように制御し、表示部における消費電力を低減する。
【０００５】
特許文献３記載の電子スチルカメラは、消費電力を少なくするために、撮像素子の駆動周波数を低くするとともに、読み出しに要する駆動電圧を低くする。
【０００６】
特許文献４記載のノートブックコンピュータは、ＡＣ駆動からバッテリ駆動に替わった時に、バッテリ電力節約のためにディスプレイ輝度を減少させるが、この時、ディスプレイ輝度の減少がユーザによってほとんど気づかれないように緩やかに行なう。
【０００７】
特許文献５記載のデジタルカメラは、電源検出回路により電源として電池か交流電源からの電源の何れかが使用されているかを検出し、電源として電池が使用されている場合に、使用されている電池が専用電池か否かを検出し、ディスプレイユニットに供給する電源制御を行うと共に、文字液晶表示装置への電源供給制御を行う。
【特許文献１】特願平１１−０６６８２８号公報
【特許文献２】特開平１１−１４６２５４号公報
【特許文献３】特開２００３−１５３０９３号公報
【特許文献４】特開２００１−１８４０４６号公報
【特許文献５】特開２００１−２３０９６０号公報
【発明の開示】
【発明が解決しようとする課題】
【０００８】
上述したように、電池使用の場合、液晶ディスプレイに使用しているバックライトの輝度を下げることが一般に行なわれている。ところが、バックライトの輝度を下げると、画面が暗くなって見栄えが悪くなるという問題がある。
【０００９】
本発明は、上記問題を解決するためになされたもので、電池使用においても液晶ディスプレイの見栄えを良好に保ったまま省電力を図ることができる再生表示装置及び方法を提供することを目的とする。
【課題を解決するための手段】
【００１０】
上記課題を解決するために本発明の再生表示装置は、電源として電池及びＡＣアダプタが使用可能であるとともに、画像を再生して表示する液晶パネルとこれを背後から照明するバックライトとからなる液晶ディスプレイを備えた再生表示装置において、電源が電池又はＡＣアダプタのいずれであるかを判別する電源種類判別部と、この電源種類判別部により電源が電池であると判別された場合、電源がＡＣアダプタの場合よりも、前記バックライトの輝度を下げると同時に前記液晶パネルのゲインを上げる制御部とを備えたことを特徴とする。前記電池は、一次電池または電圧が所定の閾値よりも低い二次電池であることを特徴とする。
【００１１】
本発明の再生表示方法は、電源として電池及びＡＣアダプタが使用可能とし、液晶パネルとこれを背後から照明するバックライトとからなる液晶ディスプレイに画像を再生して表示する再生表示方法において、電源が電池又はＡＣアダプタのいずれであるかを判別する電源種類判別ステップと、電源が電池であると判別された場合、電源がＡＣアダプタの場合よりも、前記バックライトの輝度を下げると同時に前記液晶パネルのゲインを上げる制御ステップとからなることを特徴とする。前記電池は、一次電池または電圧が所定の閾値よりも低い二次電池であることを特徴とする。
【発明の効果】
【００１２】
本発明の再生表示装置及び方法によれば、電源として電池が使用されている場合、液晶パネルのゲインを所定のゲイン値よりも上げると同時にバックライトの輝度を所定の輝度値よりも下げるので、電池使用においても液晶ディスプレイの見栄えを良好に保ったまま省電力を図ることができる。また、前記電池は、一次電池または電圧が所定の閾値よりも低い二次電池であるから、電気容量が十分とは云えない電池を使用している場合にも液晶ディスプレイの見栄えを良好に保ったまま省電力を図ることができる。
【発明を実施するための最良の形態】
【００１３】
本発明の再生表示装置の実施形態であるデジタルカメラは、電源として周知の二次電池及びＡＣアダプタが使用可能であり、二次電池を使用し、その電圧が所定の閾値よりも低い場合、液晶ディスプレイを構成する液晶パネルのゲインをＡＣアダプタを使った通常モード時のゲインよりも上げると同時に液晶ディスプレイを構成するバックライトの輝度を通常モード時の輝度よりも下げることにより、液晶ディスプレイの見栄えを通常モード時とほぼ同様の良好さを保ったまま省電力を図るものである。
【００１４】
図１に示すように、デジタルカメラ１のカセット本体２の前面には、沈胴式の撮影レンズ３，ストロボ発光部４が設けられている。また、カセット本体２の上面には、シャッタボタン５、この周囲に回動自在に設けられたモード切換ダイヤル６、ボタン形状をした電源ボタン７が設けられている。
【００１５】
カセット本体２の下面には、電池蓋８が設けられており、この電池蓋８を開けると、電池室とメモリカードスロット（図示せず）が露呈される。電池室には、デジタルカメラ１の携帯時に供給電源となる繰り返し充電可能な二次電池（例えばニッケル水素電池）９（図３参照）が着脱自在に装填される。また、メモリカードスロットには、画像データを記憶するメモリカード５８（図３参照）が着脱自在に装填される。なお、二次電池９は着脱不能にカセット本体２に内蔵するようにしてもよい。
【００１６】
カセット本体２の側面には、ＤＣジャック１０が設けられている。このＤＣジャック１０には、ＡＣアダプタ１１のプラグ１１ａが挿入される。ＡＣアダプタ１１は、プラグ１１ａと、ＡＣアダプタ本体１１ｂと、これらを接続するケーブル１１ｃと、ＡＣアダプタ本体１１ｂに直に設けられ、電源コンセントに差し込まれるプラグ１１ｄとから構成されている。
【００１７】
プラグ１１ａをＤＣジャック１０に差し込むとともにプラグ１１ｄを電源コンセントに差し込むと、ＡＣアダプタ本体１１ｂは電源コンセントから供給される商用交流電源を直流に変換してケーブル１１ｃ，プラグ１１ａ及びＤＣジャック１０を介してデジタルカメラ１に供給する。
【００１８】
図２に示すように、カセット本体２の背面には、液晶ディスプレイ（ＬＣＤ）１２，ズームボタン１３，多機能の十字ボタン１４，メニュー／実行ボタン１５，液晶表示／戻るボタン１６，再生モードボタン１７等が設けられている。以下、これらのボタン１３〜１７及びモード切換ダイヤル６を一括して呼ぶ場合には、操作部１８（図３参照）という。
【００１９】
前記ＬＣＤ１２は、撮影前にスルー画を表示して電子ファインダとして使用されるとともに、撮影した画像のプレビュー画やメモリカード５８から読み出した再生画像の他、各種の設定画面やメッセージ（文字）等を表示する。また、ＬＣＤ１２は、画像を表示する光透過型の液晶パネル１２ａと、この液晶パネル１２ａを背後から照明するバックライト１２ｂとからなる（図３参照）。
【００２０】
図３に示すように、デジタルカメラ１の主な電気的な構成は、電源種類判別部２５，撮像部２６，制御部２７からなる。電源種類判別部２５は、二次電池９，ＤＣジャック１０，抵抗器２８，スイッチ回路２９，充電制御回路３０，電圧検出回路３１，及びＣＰＵ３５からなる。
【００２１】
スイッチ回路２９には、電源回路３２が接続されている。電源回路３２は、スイッチ回路２９がオンにされることにより、二次電池９又はＡＣアダプタ１１からの電源電圧をデジタルカメラ１の各部に応じた電圧に昇圧，降圧し、各部へ供給する。
【００２２】
ＤＣジャック１０は、３つの端子１０ａ，１０ｂ，１０ｃからなり、端子１０ａはスイッチ回路２９と充電制御回路３０に接続されている。端子１０ｂは、抵抗器２８の一端部，充電制御回路３０，二次電池９のマイナス端子に接続されている。端子１０ｃは、抵抗器２８の他端部に接続されているとともに接地されている。スイッチ回路２９は、電源ボタン７の押圧操作を受けた制御部２７のＣＰＵ３５によりオン／オフされる。
【００２３】
ＤＣジャック１０にプラグ１１ａが挿入されていない場合、端子１０ｂ，１０ｃが短絡しているから、二次電池９のマイナス端子は接地しており、二次電池９のプラス端子は充電制御回路３０を介してスイッチ回路２９に接続されている。この状態で、スイッチ回路２９がオンにされると、二次電池９からの電源が電源回路３２に供給され、電源回路３２で電圧調整された電源がデジタルカメラ１の各部に供給される。
【００２４】
電圧検出回路３１は、充電制御回路３０にかかる二次電池９からの電源電圧を測定し、ＣＰＵ３５に送る。二次電池９からの電源電圧は、ＡＣアダプタ１１の電源電圧よりも低いから、ＣＰＵ３５は、電源が二次電池９であると判別する。
【００２５】
また、ＣＰＵ３５は、電圧検出回路３１から入力された測定電圧Ａ（ｖ）を所定の閾値電圧α（ｖ）と比較し、Ａ≧αであるか否かを判別する。閾値電圧αは、二次電池９がほぼフル充電状態の電圧である。ＣＰＵ３５は、Ａ≧αの時には、ＡＣアダプタ１１の接続時と同じ何ら制限のない通常モードでの初期設定を行ない、Ａ＜αの時には、省電力モードによる初期設定を行なう。
【００２６】
省電力モードでは、ＬＣＤ１２のバックライト１２ｂの輝度を通常モード時の通常レベルよりも下げると同時に、ＬＣＤ１２の液晶パネル１２ａのゲインを通常モード時の通常レベルよりも上げる。バックライト１２ｂの輝度を下げただけでは、ＬＣＤ１２の画面が暗くなって表示画像に鮮やかさがなくなり見栄えが悪くなるが、液晶パネル１２ａのゲインを上げることにより表示画像のコントラストが高くなって鮮やかさが増すため、ＬＣＤ１２の見栄えを悪くすることなく、ＬＣＤ１２の消費電力を低減することができる。
【００２７】
ＤＣジャック１０にプラグ１１ａが挿入されている場合、プラグ１１ａによって端子１０ｂ，１０ｃの短絡が解除されるから、ＡＣアダプタ１１のマイナス端子３４が接地されるとともに抵抗器２８を介して二次電池９のマイナス端子が接地され、ＡＣアダプタ１１のプラス端子３３がスイッチ回路２９と充電制御回路３０に接続される。この状態で、スイッチ回路２９がオフの場合、ＡＣアダプタ１１によって充電制御回路３０が駆動され、二次電池９が充電される。
【００２８】
スイッチ回路２９がオンの場合、ＡＣアダプタ１１から電源回路３２に電源が供給され、電源回路３２で電圧調整された電源がデジタルカメラ１の各部に供給される。また、充電制御回路３０にはＡＣアダプタ１１からの電源電圧が印加されるから、この電圧を電圧検出回路３１が検出してＣＰＵ３５に送る。ＣＰＵ３５は、電圧検出回路３１から入力された電圧により、電源がＡＣアダプタ１１であると判別し、デジタルカメラ１の性能がフルに発揮される通常モードによる初期設定を行なう。
【００２９】
通常モードでは、ＬＣＤ１２のバックライト１２ｂの輝度を液晶パネル１２ａの表示画像が十分に明るく明瞭に見える程度に高い通常レベルとする。また、液晶パネル１２ａのゲインは通常レベルとする。
【００３０】
撮像部２６は、撮影レンズ３，ＣＣＤ３８，ＡＦＥ（アナログフロントエンド）４０，モータ駆動部４１，ＣＣＤドライバ４２，及びＴＧ（タイミングジェネレータ）４３からなる。なお、ＣＣＤ３８の代わりにＣＭＯＳイメージセンサを用いることもできる。
【００３１】
撮影レンズ３には、ズーム機構，フォーカス機構，絞り装置が組み込まれている。ズーム機構は、操作部１８のズーム操作に応答して、撮影レンズ３を構成する変倍レンズを移動してズーミングを行う。フォーカス機構は、フォーカスレンズを移動してピント合せを行う。絞り装置は、絞りを調節することで、ＣＣＤ３８に入射する被写体光の光強度を調節する。ズーム機構，フォーカス機構，絞り装置は、ＣＰＵ３５からの指令に基づき、モータ駆動部４１によってそれぞれ駆動される。
【００３２】
ＣＣＤ３８は、撮影レンズ３の背後に配してあり、撮影レンズ３を透過した被写体光がＣＣＤ３８の受光面に入射する。ＣＣＤ３８は、その受光面に多数の受光部が設けてあり、ＣＣＤドライバ４２からの駆動信号により駆動され、各受光部で露光した被写体光学像をアナログの撮像信号に変換して出力する。
【００３３】
ＣＣＤドライバ４２は、ＴＧ４３からの同期パルスによって駆動され、スルー画表示や適正露出値算出の際にはＣＣＤ３８からスルー画の撮像信号を読み出し、撮影時にはＣＣＤ３８からフレーム画の撮像信号を読み出す。
【００３４】
ＣＣＤ３８から出力された撮像信号は、ＡＦＥ４０に送られる。ＡＦＥ４０は、ＣＤＳ回路４０ａ，ＡＭＰ回路４０ｂ，Ａ／Ｄ変換器４０ｃから構成されており、ＴＧ４３からの同期パルスが入力されることにより、ＣＣＤ３８の電荷読み出し動作と同期して作動する。
【００３５】
ＣＤＳ回路４０ａは、相関二重サンプリングを行うことによって撮像信号からノイズの除去を行なう。ＡＭＰ回路４０ｂは、ＣＰＵ３５によって設定される撮影感度に応じたゲインで撮像信号を増幅する。Ａ／Ｄ変換器４０ｃは、ＡＭＰ回路４０ｂからの撮像信号をデジタルの画像データに変換する。
【００３６】
制御部２７は、ＣＰＵ３５，画像入力コントローラ４５，デジタル画像処理部４６，圧縮伸張処理部４７，ＡＦ検出部４８，ＡＥ／ＡＷＢ検出部４９，メディアコントローラ５０，内部メモリ５１，パネルドライバ５２及びＢＬ（バックライト）ドライバ５３から構成されている。これらは、データバス５４を介してＣＰＵ３５に制御されるとともに、相互間でデータの授受が可能となっている。
【００３７】
ＣＰＵ３５は、シャッタボタン５，電源ボタン７，操作部１８からの各種信号に基づいて各部を制御する。ＣＰＵ３５には、ＲＯＭ５５，ＲＡＭ５６，ストロボ装置５７が接続されている。ストロボ装置５７は、ＣＰＵ３５の指令信号に従ってストロボ発光部４を発光させる。
【００３８】
ＲＯＭ５５には、各種シーケンスを実行するためのプログラムや、シャッタ速度，絞り値，撮影感度の組み合せを決定するための各種プログラム線図に相当するプログラム等を書き込んであり、このプログラムにしたがってＣＰＵ３５は各部を制御する。ＲＡＭ５６は、撮影シーケンスなどを実行する際に必要なデータを一時的に記憶するワークメモリとして利用される。
【００３９】
画像入力コントローラ４５は、ＣＰＵ３５の制御命令に応じて、データバス５４を介して各部への画像データの入出力を制御する。デジタル画像処理部４６は、入力された画像データに対し、階調変換、ホワイトバランス補正、γ補正処理などの各種画像処理と、ＹＣ変換処理とを施す。
【００４０】
ＡＦ検出部４８は、撮影レンズ３のピント合せのために、画像入力コントローラ４５から出力される画像データを用いて撮影中の画像のコントラストを検出し、そのコントラスト情報をＣＰＵ３５に送る。ＣＰＵ３５は、コントラスト情報を参照し、撮影中の画像のコントラストが最大となるように、モータ駆動部４１を介して撮影レンズ３のフォーカス機構を駆動する。
【００４１】
ＡＥ／ＡＷＢ検出部４９は、画像入力コントローラ４５からの画像データに基づいて、被写体輝度の検出と、光源の種類の検出を行ない、それらをＣＰＵ３５に送る。ＣＰＵ３５は、ＡＥ／ＡＷＢ検出部４９からの被写体輝度を用いて露出値を算出する。また、ＣＰＵ３５は、光源の種類に基づいて、デジタル画像処理部４６のホワイトバランスのパラメータを設定する。
【００４２】
ＣＰＵ３５は、スルー画表示時の露出値はスルー画用プログラムにしたがって絞り値，シャッタ速度，撮影感度の組み合わせに変換し、撮影時の露出値は撮影用プログラムにしたがって絞り値，シャッタ速度，撮影感度の組み合わせに変換する。
【００４３】
メディアコントローラ５０は、メモリカード５８のデータの書き込み及び読み出しを制御する。記録すべき画像データは、デジタル画像処理部４６，圧縮伸張処理部４７での処理が施されてから、メディアコントローラ５０に送られて、メモリカード５８に書き込まれる。また、再生時には、メディアコントローラ５０によってメモリカード５８に記録されている画像データが読み出され、圧縮伸張処理部４７に送られて画像データの伸長が行われた後に、内部メモリ５１に送られる。
【００４４】
内部メモリ５１は、例えば高速な読み出しと書き込みが可能なＳＤＲＡＭである。この内部メモリ５１は、ＬＣＤ１２に表示すべきスルー画の画像データや、メモリカード５８に記録すべきフレーム画の画像データを一旦書き込むために使用される。
【００４５】
パネルドライバ５２は、スルー画表示時及び再生画像表示時に、内部メモリ５１から画像データを再生用の垂直同期信号に同期して読み出し、その画像データに基づいてＬＣＤ１２の液晶パネル１２ａを駆動する。これにより、液晶パネル１２ａには、ＣＣＤ３８で撮像されたスルー画がリアルタイムに表示されたり、メモリカード５８から読み出された画像が再生表示される。
【００４６】
また、パネルドライバ５２は、省電力モード時に、液晶パネル１２ａのゲインを通常レベルよりも上げる。これにより、液晶パネル１２ａのコントラストが高くなるから、省電力モード時にバックライト１２ｂの輝度が通常レベルより下げられても、ＬＣＤ１２の見栄えが悪くなることを防止することができる。
【００４７】
ＢＬドライバ５３は、データバス５４を介してＣＰＵ３５によって制御され、ＬＣＤ１２のバックライト１２ｂを駆動する。そして、ＢＬドライバ５３は、省電力モードでは、バックライト１２ｂの輝度を通常レベルよりも下げる。
【００４８】
このように構成されたデジタルカメラ１の作用を図４，図５及び図６の各フローチャートを参照して説明する。二次電池９は、カセット本体２の電池室に予め装填されている。電源ボタン７を押圧操作すると（ｓｔ１）、ＣＰＵ３５は電源種類判別部２５のスイッチ回路２９に指令信号を送ってスイッチ回路２９をオンにする。
【００４９】
ＡＣアダプタ１１のプラグ１１ａがＤＣジャック１０に挿入されている場合（ｓｔ２）、ＡＣアダプタ１１からの電源が電源回路３２に供給され、電源回路３２で電圧調整された電源がデジタルカメラ１の各部に供給される。
【００５０】
充電制御回路３０に印加されるＡＣアダプタ１１からの電源電圧を電圧検出回路３１が検出し、これをＣＰＵ３５に送る。ＣＰＵ３５は電源の種類がＡＣアダプタ１１であると判別し、通常モードによる初期設定を行なう（ｓｔ３）。
【００５１】
通常モードによる初期設定では、撮影時及び再生時に、図５に示すように、ＬＣＤ１２のバックライト１２ｂが十分に高い通常レベルの輝度で駆動される（ｓｔ１１）と同時に、液晶パネル１２ａのゲインは通常レベルに設定される（ｓｔ１２）。これにより、液晶パネル１２ａは、十分に明るいバックライト１２ｂによって照明されるから、見栄えがよいスルー画及び再生画像を観察することができる。
【００５２】
図４に戻って、ＡＣアダプタ１１のプラグ１１ａがＤＣジャック１０に挿入されていない場合（ｓｔ２）、二次電池９からの電源が電源回路３２に供給され、電源回路３２で電圧調整された電源がデジタルカメラ１の各部に供給される。
【００５３】
ＣＰＵ３５は、電圧検出回路３１から入力された測定電圧Ａ（ｖ）がＡＣアダプタ１１の電源電圧よりも低いから、電源が二次電池９であると判別するとともに、測定電圧Ａ（ｖ）≧閾値電圧α（ｖ）であるか否かを判別する（ｓｔ４）。
【００５４】
Ａ≧αの時には、二次電池９がフル充電された直後で十分な電気容量を有するから、ＡＣアダプタ１１の接続時と同じ通常モードでの初期設定を行ない（ｓｔ３）、Ａ＜αの時には、例えば充電されてから時間が経過している等、十分とは云えない電気容量であるから、省電力モードによる初期設定を行なう（ｓｔ５）。
【００５５】
省電力モードによる初期設定では、図６に示すように、ＬＣＤ１２のバックライト１２ｂの輝度を通常レベルよりも低く設定する（ｓｔ２１）と同時に、液晶パネル１２ａのゲインを通常レベルよりも高く設定する（ｓｔ２２）。これにより、ＬＣＤ１２に表示されるスルー画及び再生画像の見栄えを良好に保ったままデジタルカメラ１の省電力を達成することができる。
【００５６】
上記実施形態では、電源電池として二次電池を用いたが、一次電池を用いた電源種類判別部の例を図７を参照して説明する。なお、上記実施形態と同じ部材には同じ符号を付し、説明を省略する。電源種類判別部６０では、ＤＣジャック１０の端子１０ａ，１０ｂの間に、一次電池６１が接続される。
【００５７】
一次電池６１の一端子は、スイッチ回路２９を介して電源回路３２に接続される。また、一次電池６１の他端子は、抵抗器２８を介して電源回路３２の入力に接続される。一次電池６１の他端子と抵抗器２８との間の中間端子６２は、電圧検出回路３１に接続されている。電圧検出回路３１は、中間端子６２の電圧を測定し、その結果をＣＰＵ３５に入力する。
【００５８】
ＤＣジャック１０にＡＣアダプタ１１が接続されていない場合、端子１０ｂ，１０ｃが短絡しているから、一次電池６１の他端子は接地しており、スイッチ回路２９がオンになると、一次電池６１から電源回路３２に電源が供給される。この時、中間端子６２は接地しているから、中間端子６２の測定電圧はほぼ０（ｖ）（Ｌｏｗ）となり、これが電圧検出回路３１からＣＰＵ３５に入力される。これにより、ＣＰＵ３５は、電源が一次電池６１であると判別し、省電力モードによる初期設定を行なう。
【００５９】
ＤＣジャック１０にＡＣアダプタ１１が接続されている場合、端子１０ｂ，１０ｃの短絡は解除されるから、スイッチ回路２９がオンになると、一次電池６１からの電源は遮断され、代わりにＡＣアダプタ１１から電源回路３２に電源が供給される。中間端子６２には、抵抗器２８を介してＡＣアダプタ１１からの電源電圧が印加されるから、中間端子６２の測定電圧はＬｏｗよりも高くなり（Ｈｉ）、これが電圧検出回路３１からＣＰＵ３５に入力される。これにより、ＣＰＵ３５は、電源がＡＣアダプタ１１であると判別し、通常モードでの初期設定を行なう。
【００６０】
電源電池として、一次電池，二次電池の両方を使用可能であり、これらの一方を選択して使用するデジタルカメラの場合には、例えば、図３に示す電源種類判別部２５の充電制御回路３０をＣＰＵ３５により制御するようにすればよい。これについて簡単に説明する。電源種類判別部２５の二次電池９の代わりに、一次電池６１を装填した場合、スイッチ回路２９がオフ状態なら、ＡＣアダプタ１１をＤＣジャック１０に接続すると、一次電池６１が充電されてしまい、破裂などの事故が起き得る。しかし、ＡＣアダプタ１１をＤＣジャック１０に接続する以前に、電圧検出回路３１からの測定電圧により一次電池６１が装填されていると判別すれば、ＣＰＵ３５は充電制御回路３０に制御信号を送って、充電制御回路３０の充電動作を停止させるから、誤って一次電池６１が充電されることが防止される。
【００６１】
なお、一般に単三型のアルカリ乾電池などの一次電池の方が、例えばニッケル水素電池などの二次電池よりも電圧が高いことから、両者の判別は可能である。例えば、一般に新品のアルカリ乾電池の電圧が約１．６（ｖ）であるのに対し、ニッケル水素電池のフル充電直後の電圧は約１．２（ｖ）である。
【００６２】
以上説明した実施形態では、再生表示装置の例としてデジタルカメラを挙げて説明したが、本発明はこれに限定されることなく、バックライト付きＬＣＤに画像を再生表示する機器であれば何でもよく、例えばノートブックコンピュータやゲーム機やＰＤＡ等でもよい。
【図面の簡単な説明】
【００６３】
【図１】本発明を実施したデジタルカメラの外観を斜め前方から示す斜視図である。
【図２】デジタルカメラの背面側を示す平面図である。
【図３】デジタルカメラの電気的な構成を示すブロック図である。
【図４】初期設定の手順を示すフローチャートである。
【図５】通常モードでの設定を示すフローチャートである。
【図６】省電力モードでの設定を示すフローチャートである。
【図７】別の電源種類判別部の例を示すブロック図である。
【符号の説明】
【００６４】
１  デジタルカメラ
９  二次電池
１０  ＤＣジャック
１１  ＡＣアダプタ
１２  ＬＣＤ
１２ａ  液晶パネル
１２ｂ  バックライト
２５，６０  電源種類判別部
２６  撮像部
２７  制御部
２９  スイッチ回路
３１  電圧検出回路
３２  電源回路
３５  ＣＰＵ
５２  パネルドライバ
５３  ＢＬドライバ
６１  一次電池
【図１】
2008287175.tif 000003
【図２】
2008287175.tif 000004
【図３】
2008287175.tif 000005
【図４】
2008287175.tif 000006
【図５】
2008287175.tif 000007
【図６】
2008287175.tif 000008
【図７】
2008287175.tif 000009